(57)【要約】【課題】カラー画像データを、ユーザーが意図する状態でモノクロ印刷することができる画像形成装置を提供する。【解決手段】操作部７は、カラー画像データのサムネイルがカラー表示されるサムネイル表示領域７４と、調整値設定ボタン７５とがレイアウトされているモノクロ変換情報登録画面７３を表示部７１に表示させ、カラー画像データ内のカラーの特定を受け付けると共に、指定されたカラーの調整値の設定入力を受け付け、制御部８は、特定されたカラーの色成分の組み合わせと設定入力された調整値とをモノクロ変換情報として登録してモノクロ変換情報格納部２０２に格納させ、モノクロ変換部２０１は、カラー画像データからモノクロ画像データへのモノクロ変換に際し、色成分の組み合わせがモノクロ変換情報に登録されている場合には、モノクロ変換後の輝度を調整値によって調整する。【選択図】図２
2013211691.tif 000002
【特許請求の範囲】
【請求項１】
各画素がＲＧＢの色成分からなるカラー画像データを各画素が輝度成分からなるモノクロ画像データにモノクロ変換して、モノクロ印刷する画像形成装置であって、
前記カラー画像データをカラー表示させ、前記カラー画像データ内のカラーの特定を受け付けると共に、指定されたカラーの調整値の設定入力を受け付ける操作手段と、
特定されたカラーの色成分の組み合わせと設定入力された前記調整値とをモノクロ変換情報として登録する制御手段と、
前記カラー画像データから前記モノクロ画像データへのモノクロ変換に際し、色成分の組み合わせが前記モノクロ変換情報に登録されている場合には、モノクロ変換後の輝度を前記調整値によって調整するモノクロ変換手段とを具備することを特微とする画像形成装置。
【請求項２】
前記操作手段は、前記カラー画像データをサムネイル表示させ、
サムネイル表示において指定された範囲内で一番多く占めているカラーの特定を受け付けることを特徴とする請求項１記載の画像形成装置。
【請求項３】
色成分が異なる複数のカラーパッチが配置されたパターンカラー画像データを記憶しておき、
前記操作手段は、前記パターンカラー画像データをカラー表示させ、前記パターンカラー画像データ内のカラーの特定を受け付けることを特徴とする請求項１又は２記載の画像形成装置。
【発明の詳細な説明】
【技術分野】
【０００１】
本発明は、カラー画像データをモノクロ画像データに変換し、モノクロで印刷を行う画像形成装置に関する。
【背景技術】
【０００２】
モノクロ複写機やカラー複写機等の画像形成装置において、カラー画像データをモノクロ画像データに変換し、モノクロで印刷を行う場合には、赤色や青色等のカラーは、グレーの濃淡に変換されて印刷される。従って、赤色や青色等のカラーを強調の意味合いで使用している原稿をモノクロで印刷すると、赤色や青色等のカラーで表現された色文字が強調されたものであるかどうか分からなくなってしまうことがある。そこで、色文字の部分を認識し、色文字の形状を斜体や太文字に変更したり、フォント種やサイズ変更を行ったりすることで、カラー画像データをモノクロで印刷しても色文字部分を強調させることができる画像形成装置が提案されている（例えば、特許文献１参照）。
【先行技術文献】
【特許文献】
【０００３】
【特許文献１】特開２００７−２８１８１号公報
【発明の概要】
【発明が解決しようとする課題】
【０００４】
しかしながら、カラー原稿において赤色や青色等のカラーは、強調文字のみでなく、様々な意味合いで使用されており、使用されるカラーや濃度も様々である。従って、カラー画像データをモノクロ印刷する際に、色部分を強調させて印刷すると、ユーザーが意図しないモノクロ画像になってしまうことがあるという問題点があった。
【０００５】
本発明は、かかる点に鑑みてなされたものであり、その目的とするところは、カラー画像データを、ユーザーが意図する状態でモノクロ印刷することができる画像形成装置を提供することにある。
【課題を解決するための手段】
【０００６】
本発明の画像形成装置は、各画素がＲＧＢの色成分からなるカラー画像データを各画素が輝度成分からなるモノクロ画像データにモノクロ変換して、モノクロ印刷する画像形成装置であって、前記カラー画像データをカラー表示させ、前記カラー画像データ内のカラーの特定を受け付けると共に、指定されたカラーの調整値の設定入力を受け付ける操作手段と、特定されたカラーの色成分の組み合わせと設定入力された前記調整値とをモノクロ変換情報として登録する制御手段と、前記カラー画像データから前記モノクロ画像データへのモノクロ変換に際し、色成分の組み合わせが前記モノクロ変換情報に登録されている場合には、モノクロ変換後の輝度を前記調整値によって調整するモノクロ変換手段とを具備することを特微とする。
さらに、本発明の画像形成装置は、前記操作手段は、前記カラー画像データをサムネイル表示させ、サムネイル表示において指定された範囲内で一番多く占めているカラーの特定を受け付けても良い。
さらに、本発明の画像形成装置は、色成分が異なる複数のカラーパッチが配置されたパターンカラー画像データを記憶しておき、前記操作手段は、前記パターンカラー画像データをカラー表示させ、前記パターンカラー画像データ内のカラーの指定を受け付けても良い。
【発明の効果】
【０００７】
本発明によれば、特定されたカラーの色成分の組み合わせと設定入力された調整値とをモノクロ変換情報として登録し、色成分の組み合わせがモノクロ変換情報に登録されている場合には、モノクロ変換後の輝度を調整値によって調整することにより、カラー画像データをモノクロ変換したモノクロ画像データの輝度をカラーに応じてユーザーが所望の値に調整することができるため、カラー画像データを、ユーザーが意図する状態でモノクロ印刷することができるという効果を奏する。
【図面の簡単な説明】
【０００８】
【図１】本発明に係る画像形成装置の実施の形態の内部構成を示す概略模式断面図である。
【図２】図１に示す画像形成装置の概略構成を示すブロック図である。
【図３】図２に示すモノクロ変換情報格納部に格納されるモノクロ変換情報例を示す図である。
【図４】図３に示すモノクロ変換情報におけるＲＧＢの分類例を示す図である。
【図５】カラー画像データ例とモノクロ変換されて印刷された印刷イメージ例とを示す図である。
【図６】図１に示す操作部の表示部に表示されるモノクロ変換情報登録画面例を示す図である。
【図７】パターンカラー画像データ例とモノクロ変換されて印刷されたパターン印刷イメージ例とを示す図である。
【発明を実施するための形態】
【０００９】
次に、本発明の実施の形態を、図面を参照して具体的に説明する。
本実施の形態の画像形成装置１００は、図１を参照すると、本体部１に４つの画像形成部１０ａ、１０ｂ、１０ｃ及び１０ｄが配設されたカラー複写機であり、原稿読取部５と、原稿給送部６と、操作部７とを備えている。原稿読取部５は、本体部１の上部に配設され、原稿給送部６は、原稿読取部５の上部に配設されている。また、操作部７は、画像形成装置１００の手前側に配設されている。
【００１０】
操作部７には、表示部７１、テンキー７２が設けられている。ユーザーは操作部７を操作して指示を入力することで、画像形成装置１００の各種の設定をし、画像形成等の各種機能を実行させる。表示部７１は、画像形成装置１００の状態、画像形成状況や印刷部数を表示する液晶表示パネル等の表示手段であり、液晶表示パネルの表面に透明の感圧センサーが設けられたタッチパネルとして、モノクロ印刷、両面印刷等の各種指示や、倍率設定、濃度設定等の各種設定を行えるようになっている。また、表示部７１は、カラー表示に対応しており、カラー画像データがサムネイルとしてカラー表示される。その他、操作部７には、画像形成を開始するようにユーザーが指示するスタートボタン、画像形成を中止する際等に使用するストップ／クリアボタン、画像形成装置１００の各種設定をデフォルト状態にする際に使用するリセットボタン等が設けられている。
【００１１】
原稿読取部５は、スキャナー５１と、プラテンガラス５２と、原稿読取スリット５３とを備える。スキャナー５１は、露光ランプ及びＣＣＤ（Charge Coupled Device）センサー等から構成され、原稿給送部６による原稿の搬送方向に移動可能に構成されている。また、スキャナー５１は、各画素がＲ（赤）、Ｇ（緑）、Ｂ（青）の色成分からなるカラー画像データとして原稿を読み取り、各色成分は、それぞれ０〜２５５の２５６階調をとるものとする。プラテンガラス５２は、ガラス等の透明部材により構成された原稿台である。原稿読取スリット５３は、原稿給送部６による原稿の搬送方向と直交する方向に形成されたスリットを有する。
【００１２】
プラテンガラス５２に載置された原稿を読み取る場合には、スキャナー５１は、プラテンガラス５２に対向する位置に移動され、プラテンガラス５２に載置された原稿を走査しながら原稿を読み取ってカラー画像データを取得し、取得したカラー画像データを本体部１に出力する。また、原稿給送部６により搬送された原稿を読み取る場合には、スキャナー５１は、原稿読取スリット５３と対向する位置に移動され、原稿読取スリット５３を介し、原稿給送部６による原稿の搬送動作と同期して原稿を読み取ってカラー画像データを取得し、取得したカラー画像データを本体部１に出力する。
【００１３】
原稿給送部６は、原稿載置部６１と、原稿排出部６２と、原稿搬送機構６３とを備えている。原稿載置部６１に載置された原稿は、原稿搬送機構６３によって、１枚ずつ順に繰り出されて原稿読取スリット５３に対向する位置へ搬送され、その後、原稿排出部６２に排出される。なお、原稿給送部６は、可倒式に構成され、原稿給送部６を上方に持ち上げることで、プラテンガラス５２の上面を開放させることができる。
【００１４】
本体部１には、異なる４色Ｃ（シアン）、Ｍ（マゼンダ）、Ｙ（イエロー）、Ｋ（ブラック）のカラー画像データにそれぞれ対応する４つの画像形成部１０ａ、１０ｂ、１０ｃ及び１０ｄが配設されている。また、中間転写ベルト２０が４つの画像形成部１０ａ、１０ｂ、１０ｃ及び１０ｄに隣接して設けられている。４つの画像形成部１０ａ、１０ｂ、１０ｃ及び１０ｄには、各色の可視像（トナー像）を担持する感光体ドラム１１ａ、１１ｂ、１１ｃ及び１１ｄがそれぞれ配設されている。感光体ドラム１１ａ、１１ｂ、１１ｃ及び１１ｄ上に形成されたトナー像は、感光体ドラム１１ａ、１１ｂ、１１ｃ及び１１ｄに当接しながら移動する中間転写ベルト２０上に順次転写される。中間転写ベルト２０上に順次転写されたトナー像は、二次転写ローラー１７において記録紙Ｐ上に一度に転写される。記録紙Ｐは、本体部１下部の用紙カセット３０内に収容されており、給紙ローラー３１及びレジストローラー対３２を介して二次転写ローラー１７へと搬送される。記録紙Ｐ上に転写されたトナー像は、定着装置１８において記録紙Ｐに定着され、印刷が施された記録紙Ｐが排出ローラー３３によって装置本体から排出トレイ３４に排出される。
【００１５】
４つの画像形成部１０ａ、１０ｂ、１０ｃ及び１０ｄにそれぞれ回転自在に配設されている感光体ドラム１１ａ、１１ｂ、１１ｃ及び１１ｄの周囲には、感光体ドラム１１ａ、１１ｂ、１１ｃ及び１１ｄをそれぞれ帯電させる帯電装置１２ａ、１２ｂ、１２ｃ及び１２ｄと、感光体ドラム１１ａ、１１ｂ、１１ｃ及び１１ｄにそれぞれ画像情報を露光する露光ユニット１３と、感光体ドラム１１ａ、１１ｂ、１１ｃ及び１１ｄ上にそれぞれトナー像を形成する現像装置１４ａ、１４ｂ、１４ｃ及び１４ｄと、感光体ドラム１１ａ、１１ｂ、１１ｃ及び１１ｄ上のトナー像をそれぞれ中間転写ベルト２０に転写される一次転写ローラー１５ａ、１５ｂ、１５ｃ及び１５ｄと、感光体ドラム１１ａ、１１ｂ、１１ｃ及び１１ｄ上に残留した現像剤（トナー）を除去するクリーニング装置１６ａ、１６ｂ、１６ｃ及び１６ｄとが設けられている。
【００１６】
図２には、本実施の形態の画像形成装置１００の概略構成を示すブロック図が示されている。画像形成装置１００は、通信部８１と、記憶部８２と、画像処理部２００とに接続された制御部８が備えている。制御部８は、ＣＰＵ（Central Processing Unit）、ＲＯＭ（Read Only Memory）、ＲＡＭ（Random Access Memory）等を備えたマイクロコンピューター等の情報処理部である。ＲＯＭには画像形成装置１００の動作制御を行うための制御プログラムが記憶されている。制御部８は、ＲＯＭに記憶されている制御プログラムを読み出し、制御プログラムをＲＡＭに展開させることで、操作部７から入力された所定の指示情報に応じて 各構成要素（原稿読取部５、原稿給送部６、本体部１の画像形成部１０ａ、１０ｂ、１０ｃ及び１０ｄ、中間転写ベルト２０、定着装置１８等）を制御して一連の画像形成動作を実現する。
【００１７】
通信部８１は、ＬＡＮ等のネットワーク８３を介して、パーソナルコンピュータ等の周辺機器８４や、他の画像形成装置１００ａとの間で各種データを送受信する機能を有する。
【００１８】
記憶部８２は、半導体メモリやＨＤＤ（Hard Disk Drive）等の記憶手段であり、原稿読取部５によって読み取られたり、通信部８１によって受信したりしたカラー画像データが蓄積される記憶手段である。
【００１９】
画像処理部２００は、カラー画像データに対して所定の画像処理を行う手段であり、拡大縮小処理や、濃度調整、階調調整等の画像改善処理が行われると共に、フルカラー印刷を行う場合には、Ｒ（赤）、Ｇ（緑）、Ｂ（青）の色成分からなるカラー画像データを、Ｃ（シアン）、Ｍ（マゼンダ）、Ｙ（イエロー）、Ｋ（ブラック）の色成分からなるＣＭＹ表色系に色空間変換する。このＣＭＹ表色系に変換したカラー画像データは、それぞれ対応する４つの画像形成部１０ａ、１０ｂ、１０ｃ及び１０ｄにより画像形成される。また、画像処理部２００は、モノクロ変換部２０１と、モノクロ変換情報格納部２０２とを備えている。
【００２０】
モノクロ変換部２０１は、Ｒ（赤）、Ｇ（緑）、Ｂ（青）の色成分からなるカラー画像データの各画素に対して、例えば輝度Ｙ＝0.299＊Ｒ＋0.587＊Ｇ＋0.114＊Ｂ（式１）の演算を施して、各画素が輝度Ｙで表されるモノクロ画像データに変換する。なお、上記（式１）において、Ｒは赤成分の階調、Ｇは緑成分の階調、Ｂは青成分の階調をそれぞれ示している。各画素が輝度成分からなるモノクロ画像データへのモノクロ変換は、操作部７によってモノクロ印刷が指示された場合に実行され、モノクロ画像データは、Ｋ（ブラック）に対応する画像形成部１０ｄにより画像形成される。
【００２１】
また、モノクロ変換部２０１は、モノクロ変換情報格納部２０２に格納されたモノクロ変換情報に基づいて、上記演算式で演算した輝度Ｙの調整を行う。モノクロ変換情報格納部２０２に格納されたモノクロ変換情報は、図３（ａ）に示すように、Ｒ（赤）、Ｇ（緑）、Ｂ（青）の組み合わせと、その組み合わせにおける調整値とが設定されている。本実施の形態では、図４に示すように、Ｒ（赤）の階調を３２階調ずつＲ１〜Ｒ８の８段階に、Ｇ（緑）の階調を３２階調ずつＧ１〜Ｇ８の８段階に、Ｂ（青）の階調を３２階調ずつＢ１〜Ｂ８の８段階にそれぞれ分類される。従って、Ｒ（赤）、Ｇ（緑）、Ｂ（青）の組み合わせは８３通りが存在し、その内のユーザーによって登録された組み合わせがモノクロ変換情報として設定される。また、調整値は、輝度Ｙを増減する段階数が示されている。なお、調整値における１段階当たりの輝度Ｙの増減値は予め設定されている。また、調整値として、輝度Ｙの増減値をそのまま用いても良く、輝度Ｙを増減する割合を示すようにしても良い。
【００２２】
モノクロ変換部２０１は、カラー画像データの各画素に対して、Ｒ（赤）、Ｇ（緑）、Ｂ（青）の色成分の組み合わせが、モノクロ変換情報格納部２０２に格納されたモノクロ変換情報に設定されているか否かを判断し、組み合わせがモノクロ変換情報に設定されている場合には、上記（式１）によって演算した輝度Ｙを調整値によって調整する。例えば、１段階当たりの輝度Ｙの増減値が「１０」であるとすると、Ｒ（赤）、Ｇ（緑）、Ｂ（青）の色成分の組み合わせが図３（ａ）に示す（Ｒ８、Ｇ１、Ｂ１）であり、上記（式１）によって輝度Ｙ＝１６８である場合には、輝度Ｙが１段階減少されて１５８に調整される。これにより、図３（ａ）に示す（Ｒ８、Ｇ１、Ｂ１）に対応する画素は、輝度が減少されて印字される濃度が濃くなる。
【００２３】
次に、モノクロ変換情報格納部２０２に格納されるモノクロ変換情報の登録動作について図５及び図６を参照して詳細に説明する。
図５（ａ）には、原稿読取部５によって読み取られたり、通信部８１によって受信したりして記憶部８２に記憶されたカラー画像データが、図５（ｂ）には、図５（ａ）に示すカラー画像データが画像処理部２００のモノクロ変換部２０１によってモノクロ変換されて印刷された印刷イメージがそれぞれ示されている。図５（ｂ）に示す印刷イメージに見たユーザーが、特定のカラーの濃度を濃すぎたり淡すぎたり感じた場合に、モノクロ変換情報の登録を行う。以下、図５（ｂ）に示す印刷イメージにおいて、「薄緑」の箇所をユーザーが淡すぎと感じた場合について説明する。
【００２４】
まず、ユーザーは、操作部７を操作することで、印刷に用いたカラー画像データを特定して、モノクロ変換情報登録の指示入力を行う。操作部７においてモノクロ変換情報登録の指示入力が行われると、制御部８は、印刷に用いたカラー画像データのサムネイルを生成し、図６に示すようなモノクロ変更情報登録画面７３を操作部７の表示部７１に表示させる。モノクロ変更情報登録画面７３には、印刷に用いたカラー画像データのサムネイルがカラー表示されるサムネイル表示領域７４と、調整値設定ボタン７５とがレイアウトされている。なお、本実施の形態では、印刷に用いたカラー画像データは、印刷後すぐに消去することなく、履歴データとして一定数もしくは一定時間、記憶部８２に記憶されているものとする。
【００２５】
次に、ユーザーは、サムネイル表示領域７４において、濃度を調整したいカラーを図６に点線で示すように範囲指定し、調整値設定ボタン７５を操作する。本例では、「薄緑」の箇所を淡すぎと感じているため、調整値設定ボタン７５の「濃く」を操作する。調整値設定ボタン７５が操作されると、制御部８は、まず、サムネイル表示領域７４で指定された範囲に含まれるカラー（下地を除く）の色成分を特定する。なお、指定された範囲内に複数色のカラーが含まれている場合には、指定された範囲内で下地を除いて一番多く占めているカラーの色成分が特定される。次に、制御部８は、特定したカラーの色成分の組み合わせと、調整値設定ボタン７５が操作された調整値とをモノクロ変換情報格納部２０２に格納されているモノクロ変換情報に登録する。例えば、特定したカラーの色成分の組み合わせが（Ｒ８、Ｇ１、Ｂ３）で、調整値設定ボタン７５の「濃く」が操作された場合には、図３（ｂ）に矢印で記すように、色成分の組み合わせ（Ｒ８、Ｇ１、Ｂ３）に対応する調整値（−１）が新たに登録される。調整値（−１）は、輝度Ｙを１段階調整させることを意味し、色成分が組み合わせ（Ｒ８、Ｇ１、Ｂ３）に対応する画素は、結果として濃度が１段階濃く印刷されることになる。なお、既に色成分の組み合わせがモノクロ変換情報に登録されている場合には、調整値が調整値設定ボタン７５の操作に応じて修正される。また、モノクロ変更情報登録画面７３において、調整する増減値を直接入力するようにしても良く、増減する割合を入力するようにしても良い。
【００２６】
本実施の形態では、印刷に用いたカラー画像データを用いて、モノクロ変更情報を随時登録するように構成したが、図７（ａ）に示すようなパターンカラー画像データを記憶部８２に記憶させておき、このパターンカラー画像データを用いてモノクロ変更情報をまとめて登録するように構成しても良い。
【００２７】
図７（ａ）に示すパターンカラー画像データには、色成分の組み合わせが異なる複数のカラーパッチが配置されていると共に、当該カラーパッチに対応してチェックボックスがそれぞれ配置されている。モノクロ変更情報の登録に際し、ユーザーは、パターンカラー画像データをモノクロ印刷させる。図７（ｂ）には、パターンカラー画像データが画像処理部２００のモノクロ変換部２０１によってモノクロ変換されて印刷されたパターン印刷イメージが示されている。なお、パターンカラー画像データに配置されるカラーパッチは、色成分の全ての組み合わせである必要はなく、印刷すると濃すぎたり淡すぎたりする可能性のあるカラーを選択して配置すると良い。
【００２８】
以下、図６に示すモノクロ変更情報登録画面７３を用い、サムネイル表示領域７４において濃淡を調整したいカラーパッチを指定し、調整値設定ボタン７５を操作してモノクロ変更情報を登録することができる。なお、サムネイル表示領域７４においてカラーパッチを複数指定できるように構成し、調整値設定ボタン７５の操作によって一括してモノクロ変更情報を登録できるようにすると効率的である。
【００２９】
以上説明したように、本実施の形態によれば、操作部７は、カラー画像データのサムネイルがカラー表示されるサムネイル表示領域７４と、調整値設定ボタン７５とがレイアウトされているモノクロ変換情報登録画面７３を表示部７１に表示させ、カラー画像データ内のカラーの特定を受け付けると共に、指定されたカラーの調整値の設定入力を受け付け、制御部８は、特定されたカラーの色成分の組み合わせと設定入力された調整値とをモノクロ変換情報として登録してモノクロ変換情報格納部２０２に格納させ、モノクロ変換部２０１は、カラー画像データからモノクロ画像データへのモノクロ変換に際し、色成分の組み合わせがモノクロ変換情報に登録されている場合には、モノクロ変換後の輝度を調整値によって調整するように構成されている。この構成により、カラー画像データをモノクロ変換したモノクロ画像データの輝度をカラーに応じてユーザーが所望の値に調整することができるため、カラー画像データを、ユーザーが意図する状態でモノクロ印刷することができるという効果を奏する。
【００３０】
さらに、本実施の形態によれば、操作部７は、サムネイル表示領域７４において指定された範囲内で一番多く占めているカラーの特定を受け付けるように構成されている。この構成により、ユーザーは、サムネイル表示領域７４において特定したいカラーを簡単に範囲指定することができる。
【００３１】
さらに、本実施の形態によれば、記憶部８２に色成分が異なる複数のカラーパッチが配置されたパターンカラー画像データを記憶しておき、操作部７は、サムネイル表示領域７４にパターンカラー画像データをカラー表示させ、パターンカラー画像データ内のカラーの指定を受け付けるように構成されている。事前にモノクロ変換情報の登録を行うことができる。
【００３２】
なお、本発明が上記各実施の形態に限定されず、本発明の技術思想の範囲内において、各実施の形態は適宜変更され得ることは明らかである。
【符号の説明】
【００３３】
１  本体部
５  原稿読取部
６  原稿給送部
７  操作部
８  制御部
１０ａ、１０ｂ、１０ｃ、１０ｄ  画像形成部
１１ａ、１１ｂ、１１ｃ、１１ｄ  感光体ドラム
１２ａ、１２ｂ、１２ｃ、１２ｄ  帯電装置
１３  露光ユニット
１４ａ、１４ｂ、１４ｃ、１４ｄ  現像装置
１５ａ、１５ｂ、１５ｃ、１５ｄ  一次転写ローラー
１６ａ、１６ｂ、１６ｃ、１６ｄ  クリーニング装置
１７  二次転写ローラー
１８  定着装置
２０  中間転写ベルト
３０  用紙カセット
３１  給紙ローラー
３２  レジストローラー
３３  排出ローラー
３４  排出トレイ 
５１  スキャナー
５２  プラテンガラス
５３  原稿読取スリット
６１  原稿載置部
６２  原稿排出部
６３  原稿搬送機構
７１  表示部
７２  テンキー
７３  モノクロ変更情報登録画面
７４  サムネイル表示領域
７５  調整値設定ボタン
８１  通信部
８２  記憶部
８３  ネットワーク
８４  周辺機器
１００  画像形成装置
１００ａ  画像形成装置
２００  画像処理部
２０１  モノクロ変換部
２０２  モノクロ変換情報格納部
【図１】
2013211691.tif 000003
【図２】
2013211691.tif 000004
【図３】
2013211691.tif 000005
【図４】
2013211691.tif 000006
【図５】
2013211691.tif 000007
【図６】
2013211691.tif 000008
【図７】
2013211691.tif 000009